(57)【要約】【課題】撮影場所が屋内であるか屋外であるかを、ユーザの意思を考慮しつつ簡易に判断して、高画質の撮像情報を生成することが可能なカメラ装置を提供する。【解決手段】カメラ装置１は、撮影場所が屋内であるか屋外であるかを、第１の判断基準および第２の判断基準によりそれぞれ判断する判断部１６と、前記判断部１６による前記第１の判断基準による判断結果と前記第２の判断基準による判断結果とが異なるときには、屋内の撮影に応じたオート制御を行うための屋内撮影モード、または屋外の撮影に応じたオート制御を行うための屋外撮影モードのいずれかを指定する操作をユーザに促す情報を出力するモード設定部１７とを備える。【選択図】図１
2018121230.tif 000002
【特許請求の範囲】
【請求項１】
撮影場所が屋内であるか屋外であるかを、第１の判断基準および第２の判断基準によりそれぞれ判断する判断部と、
前記判断部による前記第１の判断基準による判断結果と前記第２の判断基準による判断結果とが異なるときには、屋内の撮影に応じたオート制御を行うための屋内撮影モード、または屋外の撮影に応じたオート制御を行うための屋外撮影モードのいずれかを指定する操作をユーザに促す情報を出力するモード設定部と
を備えることを特徴とするカメラ装置。
【請求項２】
屋外であることを判断するための光量を計測する光量センサと、
撮影による撮像情報を取得する撮像情報取得部と、
前記撮像情報取得部で取得した撮像情報の色温度情報を取得する色温度情報取得部と、
前記撮像情報取得部で取得された撮像情報に関し、設定された撮影モードでオート制御を行うオート制御部と
をさらに備え、
前記判断部は、撮影場所が屋内であるかまたは屋外であるかを、前記第１の判断基準である前記光量センサで計測された光量に基づく判断基準、および前記第２の判断基準である前記色温度情報取得部で取得された色温度情報に基づく判断基準でそれぞれ判断し、
前記モード設定部は、前記判断部による双方の判断結果が同一のときには、当該判断結果に基づく撮影モードを設定し、判断結果が異なるときには、前記屋内撮影モードまたは前記屋外撮影モードのいずれかを指定する操作をユーザに促すための情報を出力し、当該情報を出力したことによりユーザにより指定操作された撮影モードを設定する
ことを特徴とする請求項１に記載のカメラ装置。
【請求項３】
前記屋内撮影モードまたは前記屋外撮影モードのいずれかをユーザに指定操作させるための表示情報を表示し、当該表示情報に対してユーザにより指定操作された撮影モードの情報を、前記モード設定部に入力する入出力装置をさらに備える
ことを特徴とする請求項１または２に記載のカメラ装置。
【請求項４】
前記モード設定部は、前記撮影モードの設定を切り替える際の切り替え処理速度を、撮影中は遅くし、撮影待機状態時は早くする
ことを特徴とする請求項１〜３いずれか１項に記載のカメラ装置。
【請求項５】
カメラ装置が、
撮影場所が屋内であるか屋外であるかを、第１の判断基準および第２の判断基準によりそれぞれ判断するステップと、
前記第１の判断基準による判断結果と前記第２の判断基準による判断結果とが異なるときには、屋内の撮影に応じたオート制御を行うための屋内撮影モード、または屋外の撮影に応じたオート制御を行うための屋外撮影モードのいずれかを指定する操作をユーザに促す情報を出力するステップと
を有することを特徴とする撮影処理方法。
【発明の詳細な説明】
【技術分野】
【０００１】
本発明は、カメラ装置およびカメラ装置による撮像処理方法に関する。
【背景技術】
【０００２】
通常、デジタルカメラ装置では、撮影場所が屋内であるか屋外であるかに応じて適切なホワイトバランス調整等のオート制御が行われ、高画質の撮像情報が生成される。
【０００３】
撮影場所が屋内であるか屋外であるかは、例えば、当該デジタルカメラ装置の周辺空間の赤外線量または紫外線量と、当該デジタルカメラ装置で撮影された撮像情報の色温度情報とを用いることにより精度良く判断することができる。
【先行技術文献】
【特許文献】
【０００４】
【特許文献１】特開２００６−１２８９６８号公報
【発明の概要】
【発明が解決しようとする課題】
【０００５】
しかし、デジタルカメラ装置で屋外から屋内を撮影するとき、および屋内から屋外を撮影するときには、周辺空間の赤外線量や紫外線量による屋内／屋外の判断結果と、撮像情報の色温度情報による屋内／屋外の判断結果とが異なる場合がある。
【０００６】
例えば、屋外から屋内を撮影する際には、ユーザが目的とする被写体は屋内にあり色温度情報からは屋内と判断されても、周辺空間の赤外線量や紫外線量からは屋外と判断される。このような場合に、アプリケーションで周辺空間の赤外線量や紫外線量による判断結果が優先されてオート制御が行われると、赤っぽい撮像情報が生成されてしまう。
【０００７】
また、屋内から屋外を撮影する際には、ユーザが目的とする被写体は屋外にあり色温度情報からは屋外と判断されても、周辺空間の赤外線量や紫外線量からは屋内と判断される。このような場合に、アプリケーションで周辺空間の赤外線量や紫外線量による判断結果が優先されてオート制御が行われると、青っぽい撮像情報が生成されてしまう。
【０００８】
このように、アプリケーションによる処理のみで撮影場所が屋内であるか屋外であるかの判断を行うと、ユーザの意図とは異なるオート制御が行われてしまうことがあるという問題があった。
【０００９】
よって本発明は、撮影場所が屋内であるか屋外であるかを、ユーザの意思を考慮しつつ簡易に判断して、高画質の撮像情報を生成することが可能なカメラ装置およびカメラ装置による撮像処理方法を提供することを目的とする。
【課題を解決するための手段】
【００１０】
上記目的を達成するための本発明のカメラ装置は、撮影場所が屋内であるか屋外であるかを、第１の判断基準および第２の判断基準によりそれぞれ判断する判断部と、前記判断部による前記第１の判断基準による判断結果と前記第２の判断基準による判断結果とが異なるときには、屋内の撮影に応じたオート制御を行うための屋内撮影モード、または屋外の撮影に応じたオート制御を行うための屋外撮影モードのいずれかを指定する操作をユーザに促す情報を出力するモード設定部とを備えることを特徴とする。
【００１１】
また、本発明のカメラ装置による撮像処理方法は、カメラ装置が、撮影場所が屋内であるか屋外であるかを、第１の判断基準および第２の判断基準によりそれぞれ判断するステップと、前記第１の判断基準による判断結果と前記第２の判断基準による判断結果とが異なるときには、屋内の撮影に応じたオート制御を行うための屋内撮影モード、または屋外の撮影に応じたオート制御を行うための屋外撮影モードのいずれかを指定する操作をユーザに促す情報を出力するステップとを有することを特徴とする。
【発明の効果】
【００１２】
本発明のカメラ装置およびカメラ装置による撮像処理方法によれば、撮影場所が屋内であるか屋外であるかを、ユーザの意思を考慮しつつ簡易に判断することで、高画質の撮像情報を生成することができる。
【図面の簡単な説明】
【００１３】
【図１】本発明の一実施形態によるデジタルカメラ装置の構成を示すブロック図である。
【図２】本発明の一実施形態によるデジタルカメラ装置に搭載された選択スイッチの構成を示すブロック図である。
【図３】本発明の一実施形態によるデジタルカメラ装置で実行される処理を示すフローチャートである。
【発明を実施するための形態】
【００１４】
本発明の一実施形態によるデジタルカメラ装置について、以下に説明する。本実施形態によるデジタルカメラ装置は、屋内の撮影に応じたオート制御を行う屋内撮影モード、または屋外の撮影に応じたオート制御を行う屋外撮影モードのいずれかにより、撮影処理を実行する。
【００１５】
〈一実施形態によるデジタルカメラ装置の構成〉
本実施形態によるデジタルカメラ装置の構成について、図１を参照して説明する。本実施形態によるデジタルカメラ装置１は、赤外線量を計測する赤外線センサ１１と、選択スイッチ１２と、撮像レンズ１３と、撮像素子１４と、画像処理部１５と、判断部１６と、モード設定部１７と、記録部１８と、表示部１９とを備える。画像処理部１５、判断部１６、およびモード設定部１７は、専用のISP（イメージ・シグナル・プロセッサー）とＣＰＵで構成される。
【００１６】
選択スイッチ１２は、図２に示すように、オート判断要求部１２１と、屋内撮影モード指定部１２２と、屋外撮影モード指定部１２３と、切替部１２４とを有する。オート判断要求部１２１は、屋内撮影モードと屋外撮影モードとのいずれを設定するかについての判断を、自動で実行させるためのオート判断要求を出力する。屋内撮影モード指定部１２２は、屋内撮影モードに指定するための屋内撮影モード指定情報を出力する。屋外撮影モード指定部１２３は、屋外撮影モードに指定するための屋外撮影モード指定情報を出力する。
【００１７】
切替部１２４は、画像処理部１５に、オート判断要求部１２１、屋内撮影モード指定部１２２、または屋外撮影モード指定部１２３のいずれかを接続させ、ユーザの操作、または後述するモード設定部１７から出力される情報に基づいて接続先を切り替える。
【００１８】
撮像素子１４は、撮像レンズ１３から入射された被写体の光学像を電気信号に変換し、撮像情報として画像処理部１５に送出する。
【００１９】
画像処理部１５は、選択スイッチ情報取得部１５１と、撮像情報取得部１５２と、色温度情報取得部１５３と、オート制御部１５４と、表示情報生成部１５５とを有する。
【００２０】
選択スイッチ情報取得部１５１は、選択スイッチ１２から送出された情報を取得する。撮像情報取得部１５２は、撮像素子１４から送出された撮像情報を取得する。色温度情報取得部１５３は、撮像情報取得部１５２で取得された撮像情報から、当該撮像情報の色温度情報を取得する。オート制御部１５４は、後述するモード設定部１７で設定される撮影モードに応じて、撮像情報取得部１５２で取得された撮像情報に対して、ホワイトバランス調整やフリッカ抑制、オートフォーカス等の画質を向上させるためのオート制御を行う。表示情報生成部１５５は、オート制御された撮像情報を表示するための画像情報を生成する。
【００２１】
判断部１６は、赤外線センサ１１で計測された赤外線量を用いた第１の判断基準および、色温度情報取得部１５３で取得された色温度情報を用いた第２の判断基準により、撮影場所が屋内であるか屋外であるかをそれぞれ判断する。
【００２２】
モード設定部１７は、画像処理部１５の選択スイッチ情報取得部１５１で屋内撮影モード指定情報が取得されたときには、撮影モードを屋内撮影モードに設定する。またモード設定部１７は、選択スイッチ情報取得部１５１で屋外撮影モード指定情報が取得されたときには、撮影モードを屋外撮影モードに設定する。
【００２３】
またモード設定部１７は、選択スイッチ情報取得部１５１でオート判断要求が取得されたときには、判断部１６における第１の判断基準による判断結果と第２の判断基準による判断結果が同一であれば、当該判断結果に基づく撮影モードを設定する。また、第１の判断基準による判断結果と第２の判断基準による判断結果とが異なるときには、屋内撮影モードまたは屋外撮影モードいずれかの指定操作をユーザに促すメッセージ情報を表示部１９に表示させる。そして、当該メッセージ情報を表示させたことにより、選択スイッチ１２から屋内撮影モード指定情報または屋内撮影モード指定情報を取得すると、該当する撮影モードを設定する。
【００２４】
記録部１８は、表示情報生成部１５５で生成された画像情報を記録する。表示部１９は、表示情報生成部１５５で生成された画像情報を表示するとともに、モード設定部１７で生成されたメッセージ情報を表示する。
【００２５】
〈一実施形態によるデジタルカメラ装置の動作〉
次に、本実施形態によるデジタルカメラ装置１で実行される処理について、図３のフローチャートを参照して説明する。
【００２６】
まず、デジタルカメラ装置１の電源が投入されると（Ｓ１の「YES」）、撮像レンズ１３から入射された被写体の光学像が撮像素子１４で電気信号に変換され、撮像情報として画像処理部１５の撮像情報取得部１５２で取得される。そして、色温度情報取得部１５３において、撮像情報から所定時間間隔での色温度情報の取得が開始される。
【００２７】
また、電源が投入されると、赤外線センサ１１による赤外線量の計測が開始されるとともに、選択スイッチ１２から出力される情報が選択スイッチ情報取得部１５１で取得される（Ｓ２）。ここでは、初期設定により選択スイッチ１２の切替部１２４がオート判断要求部１２１に接続されており、オート判断要求部１２１から出力されたオート判断要求が、選択スイッチ情報取得部１５１で取得されたものとする。
【００２８】
選択スイッチ情報取得部１５１で、オート判断要求が取得されると（Ｓ３の「YES」）、当該要求がモード設定部１７を介して判断部１６で取得され、判断部１６において、赤外線センサ１１で計測された赤外線量と、色温度情報取得部１５３で取得された色温度情報とが取得される。そして、判断部１６において、取得した赤外線量に基づいて当該デジタルカメラ装置１が屋内にあるか屋外にあるかが判断され、また、取得した色温度情報に基づいて被写体が屋内にあるか屋外にあるかが判断される（Ｓ４）。
【００２９】
ここで、双方の屋内／屋外の判断結果が同一であれば（Ｓ５の「YES」）、モード設定部１７は、当該判断結果に基づいて屋内撮影モードかまたは屋外撮影モードに設定する（Ｓ６）。そして、設定した撮影モードに応じて、画像処理部１５のオート制御部１５４において、撮像情報取得部１５２で取得された撮像情報に対してホワイトバランス制御やフリッカ抑制等の画質を向上させるためのオート制御が行われる（Ｓ７）。
【００３０】
次に、表示情報生成部１５５において、オート制御された撮像情報により画像情報が生成される。生成された画像情報は、表示部１９に表示され、撮影開始操作が行われると記録部１８に記録される（Ｓ８）。上述したステップＳ３〜Ｓ８の処理は、赤外線量に基づく屋内／屋外の判断結果と色温度情報に基づく屋内／屋外の判断結果とが同一の状態で電源ＯＦＦ状態になるまで、繰り返される（Ｓ９の「NO」）。
【００３１】
また、電源がＯＮになっている間に、赤外線量に基づく屋内／屋外の判断結果と色温度情報に基づく屋内／屋外の判断結果とが異なる状態になったときには（Ｓ５の「NO」）、モード設定部１７は、屋内撮影モードまたは屋外撮影モードいずれかの指定操作をユーザに促すメッセージ情報を生成し、表示部１９に表示させる（Ｓ１０）。
【００３２】
当該メッセージ情報が表示されたことにより、ユーザが意図する撮影対象により選択スイッチ１２で屋内撮影モードまたは屋外撮影モードを指定する操作を行うと、当該操作に基づいて切替部１２４の接続先が、オート判断要求部１２１から屋内撮影モード指定部１２２または屋外撮影モード指定部１２３に切り替えられる。そして、切り替え後の接続先から出力された屋内モード指定情報または屋外モード指定情報が、選択スイッチ情報取得部１５１を介してモード設定部１７で取得される（Ｓ１１の「YES」）。
【００３３】
モード設定部１７は、当該モード指定情報を取得すると、メッセージ情報の表示を解除し、取得されたモード指定情報に基づく撮影モードに設定する（Ｓ１２）。指定された撮影モードに設定されると、当該撮影モードに応じて撮像情報に対するオート制御が行われる（Ｓ１３）。
【００３４】
次に、表示情報生成部１５５において、オート制御された撮像情報により画像情報が生成される。生成された画像情報は、表示部１９に表示されるとともに、撮影開始操作が行われると記録部１８に記録される（Ｓ１４）。上述したステップＳ１３、Ｓ１４の処理は、赤外線量に基づく屋内／屋外の判断結果と色温度情報に基づく屋内／屋外の判断結果とが異なった状態で撮影処理が終了するまで、繰り返される（Ｓ１５の「NO」、Ｓ１６の「NO」）。
【００３５】
電源がＯＮになっている間に、モード設定部１７により、赤外線量に基づく屋内／屋外の判断結果と色温度情報に基づく屋内／屋外の判断結果とが同一になったと判断されたとききには（Ｓ１５の「YES」）、選択スイッチ１２の切替部１２４の接続先が、オート判断要求部１２１に切り替えられる。そしてステップＳ６に移行し、モード設定部１７は、当該判断結果に基づいて屋内撮影モードかまたは屋外撮影モードに設定する（Ｓ６）。そして、当該設定に基づいて、撮像情報へのオート制御、画像情報の生成、表示および記録が行われる（Ｓ７、Ｓ８）。
【００３６】
また、ユーザが予め屋内撮影モードまたは屋外撮影モードを指定する操作を行っていたときには、ステップＳ３において、選択スイッチ情報取得部１５１で、オート判断要求ではなく屋内撮影モード指定情報または屋外撮影モード指定情報が取得される（Ｓ３の「NO」）。この場合、モード設定部１７は、取得されたモード指定情報に基づいて屋内撮影モードかまたは屋外撮影モードに設定する（Ｓ１７）。そして、当該設定に基づいて、撮像情報へのオート制御、画像情報の生成、表示、および記録が行われる（Ｓ７、Ｓ８）。
【００３７】
以上の実施形態によれば、撮影場所が屋内であるか屋外であるかが、装置による自動判断では曖昧になる場合にのみユーザに指定操作させるようにすることにより、ユーザの意向を考慮して適切且つ簡易に屋内／屋外の判断を行い、これに応じたオート制御を行って高画質の撮像情報を生成することができる。
【００３８】
上述した実施形態において、選択スイッチ１２をタッチパネルで構成し、表示部１９に表示させる撮影モードの指定操作を行うための表示情報に対応するように設置することで、選択スイッチ１２と表示部１９とを一体化させた入出力装置としてもよい。この場合、モード設定部１７は、ステップＳ１０において撮影モードの指定操作を促すメッセージ情報を表示部１９に表示させる際に、屋内撮影モードまたは屋外撮影モードのいずれかをユーザに指定させるための操作ボタン等を示す表示情報も表示部１９に表示させる。そして、ユーザがタッチパネル上で操作モードを指定するためのボタン操作を行うと、操作されたボタンの位置に対応する撮影モードの指定情報が、選択スイッチ情報取得部１５１を介してモード設定部１７に入力され、該当する撮影モードが設定される。
【００３９】
また、モード設定部１７による撮影モードの設定の切り替え処理速度を、撮影状態に応じて変更するようにしてもよい。例えば、撮影中は、撮影モードの設定の切り替え速度を遅くし、撮影待機状態時には、切り替え速度を早くして瞬時に切り替わるようにしてもよい。このように切り替え処理速度を変更することにより、撮影中に急激に撮像情報の色バランスが変わってユーザに違和感を与えることを防ぐことができる。
【００４０】
また、上述した実施形態において、屋内撮影モードに設定されているか屋内撮影モードに設定されているかにより、オート制御部１５４によるオートフォーカス処理速度を変更するようにしてもよい。例えば、屋内撮影モードに設定されている場合にはオートフォーカス処理速度を早くし、屋外撮影モードに設定されている場合には遅くすることにより、効率良く、視認性の高い撮像情報を生成することができる。
【００４１】
また、上述した実施形態において、オート制御部１５４で実行されるオート制御に関するパラメータを、ユーザの操作により変更可能としてもよい。例えば、屋内撮影モードに設定されている時にはノイズ除去効率を高くし、屋外撮影モードに設定されている時には解像度を高くするようにパラメータを設定することにより、ユーザのイメージをシーンごとに確実に反映させることができる。
【００４２】
また、上述した実施形態においては、デジタルカメラ装置に赤外線センサが搭載された場合について説明したが、屋外であることを判断可能な他の光線、例えば紫外線の光量を計測する紫外線センサを搭載するようにしてもよい。
【符号の説明】
【００４３】
１  デジタルカメラ装置
１１  赤外線センサ
１２  選択スイッチ
１３  撮像レンズ
１４  撮像素子
１５  画像処理部
１６  判断部
１７  モード設定部
１８  記録部
１９  表示部
１２１  オート判断要求部
１２２  屋内撮影モード指定部
１２３  屋外撮影モード指定部
１２４  切替部
１５１  選択スイッチ情報取得部
１５２  撮像情報取得部
１５３  色温度情報取得部
１５４  オート制御部
１５５  表示情報生成部
【図１】
2018121230.tif 000003
【図２】
2018121230.tif 000004
【図３】
2018121230.tif 000005